(57)【特許請求の範囲】
【請求項１】
誤挿入を防止するために用いられる切欠き部が１の角部に設けられた情報記録媒体が出し入れされる記録媒体挿入口と、
上記情報記録媒体の誤挿入を防止するため上記記録媒体挿入口の内側に設けられた誤挿入防止機構と、を備え、
上記情報記録媒体を用いて情報信号の記録及び／又は再生を行うようにした電子機器であって、
上記誤挿入防止機構は、上記情報記録媒体の挿入方向の前方に突出するストッパ部を有する弾性を具えたバネ部材と、上記ストッパ部を弾性変形可能として上記バネ部材を支持する支持部材と、を有し、
上記支持部材は、上記バネ部材の一端を支持する固定部と、この固定部と一体に形成される支持部とを有し、当該支持部には、上記情報記録媒体の上記切欠き部に対しては上記ストッパ部を移動させ且つ当該情報記録媒体の当該切欠き部以外の角部に対しては当該ストッパ部を受けて反力を生じさせる案内溝を設け、
上記情報記録媒体の上記切欠き部に対しては外側に移動されて情報記録媒体の挿入を許容し、当該情報記録媒体の上記切欠き部以外の角部に対しては係合されて情報記録媒体の挿入を阻止するように構成した
電子機器。
【請求項２】
上記支持部は、挿入される上記情報記録媒体を跨ぐように形成されると共に上記案内溝が互いに重なり合うように設けられる一対の支持片を有し、当該一対の支持片で上記ストッパ部の両端を支持するようにした
請求項１記載の電子機器。
【発明の詳細な説明】
【０００１】
【発明の属する技術分野】
本発明は、一般にメモリステックと呼ばれているＩＣ記録メディア、磁気ディスクが収納されたＦＤ（フロッピィディスク）、或いは光ディスクが収納されたディスク状記録媒体その他の情報記録媒体を使用して情報信号の記録及び／又は再生を行うようにしたデジタルビデオカメラレコーダ（カメラ一体型ビデオテープレコーダ）、電子スチルカメラ、電子ブックプレーヤ等の電子機器に関し、特に、装置本体に対する情報記録媒体の誤挿入を防止するための誤挿入防止機構に関するものである。
【０００２】
【従来の技術】
従来、一般に、カセット筐体内に磁気テープや磁気ディスク等が収納されたカセットテープやＦＤ（フロッピィディスク）等の情報記録媒体を用いて情報信号の記録及び／又は再生を行うようにした電子機器としては、例えば、カメラ一体型ビデオテープレコーダ（以下「カメラ一体型ＶＴＲ」という。）等が知られている。このカメラ一体型ＶＴＲは、カラーカメラとビデオテープレコーダとを一体化させたもので、大きく分けてカメラブロックとＶＴＲブロックとから構成されている。
【０００３】
カメラ一体型ＶＴＲのカメラブロックは、像を光として捕らえるレンズ部と、このレンズ部を通過してきた光の像を電気信号に変換する光電変換部と、その電気信号を処理するカメラ回路部とを備えている。また、ＶＴＲブロックは、情報記録媒体であるカセットテープを保持して磁気テープに情報信号を記録したり読出したりするメカデッキ部と、その情報信号を処理するＶＴＲ回路部と、このＶＴＲ回路部及びメカデッキ部を支持するフレーム部とを備えている。カセットテープに収納された磁気テープは、メカデッキ部のテープローディング機構によってカセット筐体内から引き出され、回転ドラムに巻き付けられて所定速度で走行される。この磁気テープに対して、回転ドラムに取り付けられた磁気ヘッドが回転しながら接触し、この磁気ヘッドによって磁気テープに情報信号が書き込まれ、又は磁気テープから情報信号が読み出される。
【０００４】
このようなカメラ一体型ＶＴＲその他の電子機器において、近年、この出願人は、一般に「メモリスティック」と呼ばれているコンパクトで高信頼性のＩＣ記録メディアを開発して情報記録媒体として使用している。このように従来の情報記録媒体であるカセットテープに加えてメモリスティックを増設メモリとして用いることにより、記録可能な情報容量の大容量化を図ることができるようになった。その結果、例えば、カメラ一体型ＶＴＲにおいては、メモリスティックを用いることによってメモリの記録容量が増大し、１個のメモリスティックによって多数枚の静止画の記録が可能となり、この種の電子機器における利便性の向上を図ることができた。
【０００５】
このメモリスティックは、図２１Ａ及びＢに示すような外観形状を備えている。即ち、メモリスティック１は、略長方形をなす薄くて偏平なケース本体２を有し、このケース本体２の内部に記憶容量の大きなメモリが内蔵されている。このケース本体２の電子機器への挿入方向となる先端側の一方の角部には、誤挿入を防止するための切欠き部３が設けられている。この切欠き部３は凸側の円弧面とされていて、この切欠き部３のケース本体２の一面には、前方及び側方に開口された凹部３ａが設けられている。更に、ケース本体２の先端側には、多数のコネクタピン４が設けられている。これらのコネクタピン４はケース本体２の凹部３ａと同じ面に露出されており、メモリスティック１の挿入時、前方の開口から入り込む機器本体側の端子に接続される。
【０００６】
このような構成を有するメモリスティック１は、機器本体５に設けられた記録媒体挿入口６から電子機器に対して着脱可能に装着される。この記録媒体挿入口６は、メモリスティック１に対応した大きさの空間部とされていて、その最深部の一方の角部には、メモリスティック１の凹部３ａに係合可能な凸部６ａが設けられている。この凸部６ａは、記録媒体挿入口６の一方の面に設けられており、記録媒体挿入口６に対してメモリスティック１が正しい姿勢で、しかも正しい挿入方向で挿入されたときにのみ凸部６ａが凹部３ａに係合される構成となっている。
【０００７】
【発明が解決しようとする課題】
しかしながら、上述したような先行技術に係る電子機器においては、メモリスティック１が正常な状態で挿入されているか誤挿入されているかを判別する手段としてメモリスティック１の凹部３ａと機器本体５の凸部６ａとを利用する構成とされており、切欠き部３の凹部３ａが記録媒体挿入口６の凸部６ａに係合されるか否かによって誤挿入の有無を判別できるようになっていた。そして、凸部６ａが記録媒体挿入口６の最深部に設けられていることから、メモリスティック１を最終端の近傍まで挿入しないと凹部３ａが凸部６ａの位置まで到達しないために、最後までメモリスティック１を挿入しないと凹部３ａが凸部６ａに嵌合されるか否かが分からず、最終段階まで誤挿入であるかどうかを判別することができないという課題があった。
【０００８】
即ち、メモリスティック１の切欠き部３の深さ（先端からの距離）は、ケース本体２内に収納されるメモリ等の内部構造物によって制約を受けており、実際には略７ｍｍと短くなっている。そのため、メモリスティック１の挿入動作が完全に終了する直前（７ｍｍ手前）まで誤挿入の判別ができないことから、メモリスティック１の挿入時、使用者がメモリスティック１の挿入方向を誤っていることに気づくのが遅れる原因になる。
【０００９】
更に、誤挿入したときにメモリスティック１を機器本体５へ挿入できる距離と、正しく挿入されて挿入動作が完了したときのメモリスティック１の位置との差が少ない（７ｍｍ）ことから、メモリスティック１の挿入状態だけでは、メモリスティック１が正しく挿入されたか誤挿入されたかの判別がし難い。そのため、使用者が判別を誤って、誤挿入しているにもかかわらず誤挿入位置から更に無理な力を加えて挿入すると、メモリスティック１や機器本体５を破損させるおそれがある。
【００１０】
本発明は、かかる従来の課題に鑑みてなされたものであり、情報記録媒体に設けられている切欠き部を利用して、記録媒体挿入口に近い位置で情報記録媒体の誤挿入を判別できるようにすることにより、上記課題を解決することを目的としている。
【００１３】
【課題を解決するための手段】
上述したような課題等を解決し、上記目的を達成するために、本発明の電子機器は、誤挿入を防止するために用いられる切欠き部が１の角部に設けられた情報記録媒体が出し入れされる記録媒体挿入口と、情報記録媒体の誤挿入を防止するため記録媒体挿入口の内側に設けられた誤挿入防止機構と、を備え、情報記録媒体を用いて情報信号の記録及び／又は再生を行うようにした電子機器であって、誤挿入防止機構は、情報記録媒体の挿入方向の前方に突出するストッパ部を有する弾性を具えたバネ部材と、ストッパ部を弾性変形可能としてバネ部材を支持する支持部材と、を有し、支持部材は、バネ部材の一端を支持する固定部と、この固定部と一体に形成される支持部とを有し、支持部には、情報記録媒体の切欠き部に対してはストッパ部を移動させ且つ情報記録媒体の切欠き部以外の角部に対してはストッパ部を受けて反力を生じさせる案内溝を設け、情報記録媒体の切欠き部に対しては外側に移動されて情報記録媒体の挿入を許容し、情報記録媒体の切欠き部以外の角部に対しては係合されて情報記録媒体の挿入を阻止するように構成した。
【００１４】
本発明の電子機器は、支持部は、挿入される情報記録媒体を跨ぐように形成されると共に案内溝が互いに重なり合うように設けられる一対の支持片を有し、この一対の支持片でストッパ部の両端を支持するようにした。
【００１５】
上述のように構成したことにより、本発明の電子機器では、記録媒体挿入口の内側に設けられた誤挿入防止機構により、情報記録媒体が正しい状態（正しい姿勢及び正しい方向）で挿入されたときには、誤挿入を防止するための切欠き部によって情報記録媒体の通過が許容され、情報記録媒体が所定位置まで挿入される。これに対して、情報記録媒体が誤った状態（正しい状態以外の状態）で挿入されたときには、切欠き部以外の角部によって情報記録媒体の通過が阻止され、情報記録媒体が所定位置まで挿入されないことになる。
【００１６】
本発明の電子機器では、バネ部材のストッパ部が情報記録媒体の挿入方向の前方に突出し、このバネ部材を支持部材が支持することにより、情報記録媒体が正しい状態で挿入されたときにのみ切欠き部にガイドされてストッパ部が外側に移動して情報記録媒体の挿入動作が許容され、情報記録媒体が誤った状態で挿入されたときにはストッパ部が切欠き部以外の角部に当接して情報記録媒体の挿入動作が阻止される。
【００１７】
本発明の電子機器では、バネ部材の一端が固定部によって支持され、この固定部に連続する支持部に案内溝が設けられていて、その案内溝内にバネ部材のストッパ部が挿通されていることにより、情報記録媒体が正しい状態で挿入されたときには切欠き部によってストッパ部が案内溝に沿って外側に移動して情報記録媒体の挿入動作が許容され、情報記録媒体が誤った状態で挿入されたときには切欠き部以外の角部によってストッパ部が案内溝内において係合されて情報記録媒体の挿入動作が阻止される。
【００１８】
本発明の電子機器では、支持部の一対の支持片に互いに重なり合うように設けた案内溝にバネ部材のストッパ部が挿通されていることにより、情報記録媒体が誤った状態で挿入されて切欠き部以外の角部がストッパ部に当接したときには、そのストッパ部の両端が一対の支持片によって両端支持されるために使用者による過度の挿入力に耐えることができ、無理な挿入力が加えられることによる情報記録媒体や装置本体の破損を防ぐことができる。
【００１９】
【発明の実施の形態】
以下、本発明の実施の形態を図面を参照して説明する。図１〜図２０は、本発明の実施の一例を示すもので、電子機器の一具体例を示すデジタルビデオカメラレコーダ（カメラ一体型ビデオテープレコーダ、以下「カメラ一体型ＶＴＲ」という。）に適用したものである。尚、電子機器の他の具体例としては、例えば、電子スチルカメラ、電子ブックプレーヤ、デジタルフォトプリンタ、カラービデオプリンタ、パーソナルコンピュータ等を挙げることができる。
【００２０】
即ち、図１は本発明の一実施例に係るカメラ一体型ＶＴＲを示す斜視図、図２は図１に示すカメラ一体型ＶＴＲの装置蓋体組立体を示す正面図、図３は図２の背面図、図４は図２の右側面図、図５は図２の左側面図、図６は図２の平面図、図７は図５のＡ−Ａ線断面図、図８はカメラ一体型ＶＴＲに使用されている誤挿入防止機構を示す斜視図、図９は誤挿入防止機構の正面図、図１０は同じく平面図、図１１は同じく要部を拡大して示す側面図、図１２及び図１３は情報記録媒体を誤って挿入した状態を示す誤挿入防止機構の説明図、図１４Ａ，Ｂはカメラ一体型ＶＴＲの記録媒体挿入口及び開閉扉を断面して示す説明図、図１５は開閉扉の他の実施例を示す断面図、図１６は記録媒体収納部を示す縦断面図及びイジェクトツマミを示す側面図、図１７Ａ，Ｂは記録媒体収納部を示す断面図、図１８は記録媒体収納部に情報記録媒体を収納した状態を示す説明図、図１９は記録媒体収納部から情報記録媒体を取出した状態を示す説明図、図２０は情報記録媒体を示す斜視図及び平面図である。
【００２１】
まず、情報記録媒体の一実施例を示すメモリスティック１１について説明する。このメモリスティック１１は、画像や音声等のデータの記録再生が可能なＩＣ記録メディアである。このメモリスティック１１対応のカメラ一体型ＶＴＲでは、多数枚の静止画を記録することができる。また、メモリスティック１１用のＰＣカードアダプターを使用することにより、メモリスティック１１に記録された静止画データをパーソナルコンピュータに取り込むこともできる。
【００２２】
このメモリスティック１１は、図２０Ａ，Ｂに示すような外観構成を備えている。即ち、メモリスティック１１は、略長方形をなす薄くて偏平な筐体からなるケース本体１２を有し、このケース本体１２の内部に記憶容量の大きなメモリが内蔵されている。ケース本体１２の材料としては、例えばプラスチックが好適である。このケース本体１２の電子機器への挿入方向となる長手方向の先端側の一方の角部には、このメモリスティック１１の誤挿入を防止するための切欠き部１３が設けられている。
【００２３】
このメモリスティック１１の切欠き部１３は凸側の円弧部とされていて、この切欠き部１３のケース本体１２の一面には、前方及び側方に開口された凹部１３ａが設けられている。この凹部１３ａは、メモリスティック１１を電子機器に設けた記録媒体収納部の所定位置に位置決めするためのものである。メモリスティック１１が正常な状態で記録媒体収納部に収納されたとき、その凹部１３ａには記録媒体収納部の所定位置に設けられた凸部が係合され、これによりメモリスティック１１の位置決めが行われる。更に、ケース本体１２の凹部１３ａが設けられた面と同一面には、幅方向の両側において側方に開口された凹部１４ａ，１４ｂが設けられている。これらの凹部１４ａ，１４ｂは、メモリスティック１１の位置決め或いはメモリスティック１１の状態を検出する等を目的として設けられたものである。
【００２４】
更に、ケース本体１２の長手方向の先端部には、前方及び凹部１３ａが設けられた面と同一面に開口する端子接続部１５が設けられている。この端子接続部１５は、複数の仕切り片１５ａによって幅方向に等間隔に仕切られている。これら仕切り片１５ａで仕切られた各区分には、それぞれコネクタピン１６の先端部が露出されている。従って、複数のコネクタピン１６は横並びに配置されていて、それぞれの他端部はケース本体１２内においてメモリと電気的に接続されている。これらのコネクタピン１６は、メモリスティック１１を電子機器に装着した際に、前方から挿入される機器本体側の端子にそれぞれ個別に接続される。この機器本体側の端子接続部との接続を容易にするため、端子接続部１５の先端角部及び各仕切り片１５ａの先端角部には、それぞれ面取り１５ｂ，１５ｃが設けられている。
【００２５】
また、端子接続部１５の内側には、内蔵されたメモリに記録された情報の誤消去を防止するための誤消去防止スイッチ１７が設けられている。図２０Ａに示すように、誤消去防止スイッチ１７を矢印方向へスライドさせることにより、誤消去防止機能が働いてメモリへの新たな情報の記録が防止される。その一方、誤消去防止スイッチ１７を矢印と反対方向へスライドさせることにより、誤消去防止機能が解除されてメモリへの新たな情報の記録が可能となる。尚、ケース本体１２の表面には、ラベルが貼付される浅い凹部１４ｃが設けられている。
【００２６】
このような構成を有するメモリスティック１１が使用可能とされたカメラ一体型ＶＴＲ２０は、２種類の情報記録媒体を同時に使用することができる構成とされている。即ち、情報記録媒体の１つは上述したメモリスティック１１であり、他の１つは画像情報を記録するために使用されるテープカセットである。このカメラ一体型ＶＴＲ２０は、図１に示すような構成を備えている。
【００２７】
図１に示すように、カメラ一体型ＶＴＲ２０は、機器本体２１と、この機器本体２１の開口部を開閉する機器蓋体２２と、機器本体２１に姿勢変更自在に取り付けられた表示装置としての液晶モニタ２３等を備えて構成されている。機器本体２１は縦長とされた略長方形をなす筐体からなり、主として、機器本体２１の上部にカメラブロックが収納され、その下部にＶＴＲブロックが収納されている。
【００２８】
即ち、機器本体２１の上部にはカメラブロックのレンズ部が配置され、このレンズ部の一端は対物レンズとされて機器本体２１の幅方向の一面側に露出されている。この機器本体２１の幅方向の他面側には、カラービューファインダ２５が側方へ突出するように取り付けられている。そして、機器本体２１の上面には、マイクロホン２６とアクセサリーシュー２７とが取り付けられている。更に、機器本体２１の上部の厚み方向の一側にはモニタ用凹部２８が設けられている。このモニタ用凹部２８の対物レンズ側には、液晶モニタ２３を姿勢変更可能に支持するための上下一対のモニタ支持部２９，２９が設けられている。
【００２９】
この一対のモニタ支持部２９，２９には連結部材３０が両端支持されており、これにより、連結部材３０が機器本体２１に対して水平方向へ回動自在とされている。この連結部材３０にはモニタホルダ３１が片持ち状に軸支持されており、このモニタホルダ３１に液晶モニタ２３が装着されている。従って、液晶モニタ２３は、モニタホルダ３１を介して連結部材３０に対して上下方向へ回動自在とされている。これらモニタホルダ３１と連結部材３０及び連結部材３０と機器本体２１の結合関係により、液晶モニタ２３が上下方向及び左右方向へ自在に姿勢変更可能とされている。
【００３０】
モニタホルダ３１の下部には爪受け部３１ａが設けられており、この爪受け部３１ａにロック機構のロック爪３２を係合させることにより、液晶モニタ２３をモニタ用凹部２８内に収納した状態でモニタホルダ３１がロックされる。ロック爪３２によるロック及びその解除動作は、機器本体２１に保持されたロック解除ボタン３３を操作することによって行われる。機器本体２１のロック爪３２の下部には、バッテリー収納部３４が設けられている。このバッテリー収納部３４には、充電して繰り返し使用することができるバッテリーパック３５が着脱可能に装着されている。更に、機器本体２１のバッテリー収納部３４の側方にはスピーカ用穴３６が開口されており、このスピーカ用穴３６の内側にスピーカが内蔵されている。
【００３１】
この機器本体２１の下部には、図示しないが、ＶＴＲブロックのメカデッキ部が内蔵されている。このメカデッキ部の上面及び正面を露出させるため機器本体２１の下部には開口部が設けられており、この開口部が機器蓋体２２によって開閉自在とされている。メカデッキ部にはＶＴＲ回路部が取り付けられており、そのメカデッキ部がフレーム部であるの機器本体２１の内面に固定されている。このメカデッキ部を動作させる一部の操作ボタン３８が、モニタ用凹部２８の側面に配設されている。そして、操作ボタン３８の内側には、カメラブロックのカメラ回路部や光電変換部等が配設されている。
【００３２】
この機器本体２１に対して機器蓋体２２は、ヒンジ等の連結手段によって回動可能に連結されている。この機器蓋体２２の回動動作は、メカデッキ部のカセットホルダの動作に連動されている。機器蓋体２２を開いて機器本体２１の開口部を開放することにより、メカデッキ部のカセットホルダが移動して、そのカセット挿入口が開口される。これにより、テープカセットをカセットホルダに装着したり、予めカセットホルダに装着されているテープカセットを取り出すことができる。
【００３３】
このように機器本体２１の開口部を開閉する機器蓋体２２は、図２〜図７に示すような構成とされている。即ち、機器蓋体２２は、機器本体２１の開口部の背面側を覆う後面部２２ａと、同じく開口部の側面側を覆う側面部２２ｂとからなり、全体として平面形状がＬ字状をなしている。この機器蓋体２２の後面部２２ａには、図２に示すように、メモリスティック１１が出し入れされる記録媒体挿入口４０が設けられている。更に、後面部２２ａには、各種のボタンやツマミが装着される貫通穴４１ａ，４１ｂ，４１ｃが設けられている。
【００３４】
機器蓋体２２の後面部２２ａの上部に設けられた貫通穴４１ａは、横方向に開いた扇形のような形状をなしている。この貫通穴４１ａには、モード切換スイッチ４２が回動可能に装着されると共に、その回動の中心部には録画ボタン４３が装着されている。後面部２２ａの中部に設けられた貫通穴４１ｂは、横方向に長い長穴とされていて、この貫通穴４１ｂには画面表示ボタン４４が装着されている。更に、後面部２２ａの下部に設けられた貫通穴４１ｃは、上下方向に長い長穴とされていて、この貫通穴４１ｃには蓋体用イジェクト部材４５のツマミが装着されている。この蓋体用イジェクト部材４５を下方へスライド動作させて蓋用ロック機構のロック状態を解除することにより、機器蓋体２２を開いてメカデッキ部のカセット挿入口を開口させることができる。
【００３５】
また、機器蓋体２２の側面部２２ｂの上部は外側に膨出するように形成されている。この機器蓋体２２の膨出部２２ｃの内側には、メモリスティック１１が着脱可能に装着される記録媒体装着機構５０が設けられている。この記録媒体装着機構５０は、図３及び図６に示すように、膨出部２２ｃの内側に略収まり切るように構成されている。この記録媒体装着機構５０の内部に、メモリスティック１１が収納される記録媒体収納部５１が設定されている。この記録媒体収納部５１の一側に、図７に示すように、機器蓋体２２の後面部２２ａに開口された記録媒体挿入口４０が連通されている。
【００３６】
機器蓋体２２の側面部２２ｂの膨出部２２ｃには、図４に示すように、記録媒体収納部５１を覗き見るためのメモリスティック用覗き窓（以下「ＭＳ用覗き窓」という。）５２が設けられている。このＭＳ用覗き窓５２には記録媒体収納部５１に収納されたメモリスティック１１が対向され、このＭＳ用覗き窓５２を見ることによってメモリスティック１１の有無を知ることができる。更に、膨出部２２ｃのＭＳ用覗き窓５２と略同じ高さ位置には、メモリスティック１１を記録媒体収納部５１から取り出すためのツマミ穴５３が設けられている。このツマミ穴５３には、メモリスティック用イジェクト部材（以下「ＭＳ用イジェクト部材」という。）５４のツマミ５４ａが摺動可能に挿入されている。
【００３７】
また、機器蓋体２２の側面部２２ｂの略中央部には、メカデッキ部を覗き見るためのテープカセット用覗き窓（以下「ＴＣ用覗き窓」という。）５５が設けられている。このＴＣ用覗き窓５５を覗き見ることにより、メカデッキ部にテープカセットが装着されているか否かを知ることができる。このＴＣ用覗き窓５５の斜め上方には、リセットスイッチ５６が配置されている。更に、側面部２２ｂの後部には、上下方向に延びる貫通穴５７が設けられている。この貫通穴５７には止め金具５８が挿通されており、この止め金具５８には取付ベルト５９の一端が固定されている。この取付ベルト５９の他端は、図示しないが機器本体２１に取り付けられた止め金具に固定されている。この取付ベルト５９がグリップカバー６０を貫通しており、このグリップカバー６０と取付ベルト５９とでグリップベルトが構成されている。
【００３８】
この機器蓋体２２の記録媒体挿入口４０は、上下方向へ細長く延びた長方形をなす開口からなり、図７に示すように、記録媒体挿入口４０の内側には開閉扉６２が配置されている。図８に示すように、開閉扉６２は、記録媒体挿入口４０を内側から覆うことができるように上下方向へ細長く形成された長方形の板体からなる。この開閉扉６２の中央部には、円弧形状が上下方向に連続されたカマボコ状をなすガイド突条６２ａが設けられている。このガイド突条６２ａは記録媒体挿入口４０よりも若干小さく形成し、ガイド突条６２ａの全体が記録媒体挿入口４０内に臨むように設定する。
【００３９】
この開閉扉６２の幅方向の一側には、その端部を長手方向に沿って円筒状に丸めることによって円筒部６２ｂが設けられている。この円筒部６２ｂには支持軸６３が挿通され、その両端が円筒部６２ｂから突出されている。支持軸６３の下突出部には軸受部材６４が取り付けられている。軸受部材６４は、支持軸６３の下突出部が固定される軸受部６４ａと、この軸受部６４ａに連続して一体に形成された固定片６４ｂとを有している。この固定片６４ｂの略中央部には弾性片６４ｃが設けられており、この弾性片６４ｃは三辺を切断して自由端側を折り出すことによって形成されている。
【００４０】
支持軸６３の上突出部には、捩りコイルばね６５のコイル部が緩く嵌合されている。この捩りコイルばね６５のコイル部に連続する一方のばね片６５ａは、開閉扉６２の上端部に設けられたばね受け片６２ｃに係止されている。また、捩りコイルばね６５のコイル部に連続する他方のばね片６５ｂは、支持部材６６に係止されている。この捩りコイルばね６５のバネ力により付勢されて開閉扉６２が、記録媒体挿入口４０を内側から閉じている。このとき、開閉扉６２は記録媒体挿入口４０に対して傾くように取り付けられている。
【００４１】
即ち、支持軸６３の取付位置は記録媒体挿入口４０の内側に設定され、開閉扉６２の自由端が圧接される扉受け面６６が側面部２２ｂにおける膨出部２２ｃの裏面に設けられている。図１４Ａ，Ｂに拡大して示すように、扉受け部６６は、記録媒体挿入口４０の前面から支持軸６３までの距離よりも深い位置に設定されている。これにより、扉受け面６６と支持軸６３の中心（開閉扉６２の回動中心Ｓ）とを結んだ平面Ｔが、回動中心Ｓを通って記録媒体挿入口４０の前面と平行をなす平行面Ｕと一直線上に並ばないようにしている。
【００４２】
このように構成することにより、記録媒体挿入口４０の外縁４０ａに外力Ｗが加えられ、その外縁４０ａが記録媒体挿入口４０を狭めるように撓んだときにも、扉受け面６６によって開閉扉６２に回転する力を与えることができる。その結果、外力Ｗによって開閉扉６２に回転力を与え、開閉扉６２の自由端側を扉受け面６６から逃がすことができる。これにより、記録媒体挿入口４０の外縁４０ａが撓むことによる開閉扉６２や支持軸６３の変形或いは破損を防止することができる。
【００４３】
この外力Ｗによる開閉扉６２の回転力は、次のようにして計算することができる。いま、扉受け面６６の接触中心から開閉扉６２の回動中心Ｓまでの距離をＬ、扉受け面６６の接触中心から平行面Ｕまでの垂直距離をＬo 、外力Ｗに基づいて開閉扉６２に加えられる平行面Ｕと平行をなす方向に作用する力をＦ、この力Ｆの平面Ｔと垂直をなす方向に作用する力をＦa 、開閉扉６２に働くモーメントをＭとすると、
Ｍ＝Ｆa ×Ｌ又はＭ＝Ｆ×Ｌo である。
従って、開閉扉６２には、Ｍ＝Ｆa ×Ｌ＝Ｆ×Ｌo なるモーメントが働くことになる。このモーメントＭによって開閉扉６２は、図１４において反時計方向に回転され、同図Ａから同図Ｂの状態に変化して、その自由端が扉受け面６６から逃げることになる。
【００４４】
このような開閉扉６２の奥で記録媒体収納部５１の上部には、メモリスティック１１の誤挿入を防止するための誤挿入防止機構７０が設けられている。この誤挿入防止機構７０は、弾性を具えたバネ部材７１と、このバネ部材７１を支持する支持部材７２とから構成されている。バネ部材７１は、Ｕ字状に折り曲げ形成することにより対向された一対のバネ片７１ａ，７１ｂと、一方のバネ片７１ｂの先端部に連続され且つコ字状に折り曲げ形成されたストッパ片７１ｃとを有している。バネ部材７１のバストッパ片７１ｃの先端の一片が、メモリスティック１１の挿入方向の前方に突出するストッパ部を構成している。
【００４５】
支持部材７２は、バネ部材７１の一端を支持する固定部７２ａと、この固定部７２ａの一端に連続して設けられた支持部７２ｂと、この支持部７２ｂと固定部７２ａとを連結する連結部７２ｃとを備えている。支持部材７２の固定部７２ａは横方向に延在されていて、バネ部材７１の一方のバネ片７１ａを支持するための３個の支持爪７４ａ，７４ｂ，７４ｃと、上述した支持軸６３の上突出部を固定して支持する軸受部７４ｄとが設けられている。更に、固定部７２ａには、複数の位置決め穴７５ａ，７５ｂとネジ止め穴７５ｃとが設けられている。尚、軸受部７４ｄは、固定部７２ａの支持部７２ｂから最も離れた端部を円筒状に丸めることによって形成されている。
【００４６】
更に、固定部７２ａの３個の支持爪７４ａ，７４ｂ，７４ｃは横並びに配置されていて、支持部７２ｂに近い第１の支持爪７４ａは下方に開口されたコ字形状をなし、中央の第２の支持爪７４ｂ及び支持部７２ｂから最も離れた第３の支持爪７４ｃはＬ字形状とされている。第２及び第３の支持爪７４ｂ，７４ｃは互いに内側へ向き合うように設けられていて、両支持爪７４ｂ，７４ｃ間を第１のバネ片７１ａが挿通されている。第１のバネ片７１ａの先端には直角に折り曲げられた爪部７１ｄが設けられており、この爪部７１ｄを第１の支持爪７４ａに設けた止め溝に係止させることにより、バネ部材７１が支持部材７２に取り付けられている。
【００４７】
支持部材７２の支持部７２ｂは、下方に開口されたコ字状の板体からなり、これにより、横方向に対向する一対の支持片７６ａ，７６ｂが設けられている。この一対の支持片７６ａ，７６ｂには、互いに重なり合うように設けられると共に上方に開口された案内溝７７が設けられている。この案内溝７７は、バネ部材７１の第２のバネ片７１ｂの揺動中心からストッパ部７３までの長さと略同程度の曲率半径によって円弧状に形成されている。この案内溝７７内にバネ部材７１のストッパ部７３が挿通され、そのストッパ部７３の先端はＬ字状に折り曲げられて案内溝７７から外れないように考慮されている。かくしてストッパ部７３は、バネ部材７１がそれ自体持つ弾性により案内溝７６の底部に常時付勢されている。
【００４８】
このような支持部材７２が、図５に示すように、挿入されるメモリスティック１１の上部を跨ぐように記録媒体収納部５１の上部に配置されている。そして、支持部材７２は、位置決め穴７５ａ，７５ｂに挿通される位置決めピンによって機器蓋体２２の所定位置に位置決めされると共に、ネジ止め穴７５ｃに挿通される取付ねじ７８ａによって固定されている。更に、この支持部材７２に設けた軸受部７４ｄに、開閉扉６２を軸支する支持軸６３の上端部が固定されている。
【００４９】
このような構成を有する誤挿入防止機構７０が記録媒体挿入口４０側の上部に取り付けられた記録媒体収納機構５０は、記録媒体ホルダ８０と接続端子ホルダ８１と上述したＭＳ用イジェクトツマミ５４とを備えている。記録媒体ホルダ８０は、メモリスティック１１が貫通されるホルダ部８０ａと、このホルダ部８０ａの一側に連続し且つ挿入されたメモリスティック１１の端子接続部１５を囲う枠状のフレーム部８０ｂとを有している。ホルダ部８０ａは、一方の側面に開口された断面形状がコ字状をなす部分からなり、その上部の一側には、支持部材７２の支持部７２ｂが配置される切欠き部８２ｂが設けられている。
【００５０】
記録媒体ホルダ８０のフレーム部８０ｂは略四角形をなす枠体からなり、このフレーム部８０ｂ及びホルダ部８０ａの複数箇所をカシメ止めすることにより、記録媒体ホルダ８０が機器蓋体２２の側面部２２ｂにおける膨出部２２ｃの内側に固定されている。このフレーム部８０ｂの開口部に接続端子ホルダ８１が嵌合され、取付ねじ等の固着手段によって膨出部２２ｃの内側に固定されている。
【００５１】
接続端子ホルダ８１は、フレーム部８０ｂの開口部に見合った形状を具えた断面コ字状のホルダベース８１ａと、このホルダベース８１ａの開口側を覆うホルダカバー８１ｂとを有している。接続端子ホルダ８１のホルダベース８１ａには、メモリスティック１１に設けられたコネクタピン１６と同数の端子を有する端子部８１ｃが設けられている。更に、ホルダベース８１ａには、メモリスティック１１の切欠き部１３に設けた凹部１３ａに係合される凸部８１ｄが設けられている。この凸部８１ｄは、記録媒体収納部５１に装着されたメモリスティック１１の位置決めをなすもので、凸部８１ｄに凹部１３ａを完全に係合させることにより、メモリスティック１１が所定位置に位置決めされると共にその端子部８１ｃにコネクタピン１６が接続される。
【００５２】
図７、図１６Ａ及び図１７Ａ，Ｂに示すように、接続端子ホルダ８１と機器蓋体２２の膨出部２２ｃとの間にＭＳ用イジェクト部材５４がスライド可能に収納されている。このＭＳ用イジェクト部材５４は、上述した操作部５４ａと、接続端子ホルダ８１のホルダカバー８１ｂ側を覆うことができる部材本体５４ｂと、この部材本体５４ｂの一面側に突出するように設けられた一対の押出し部５４ｃ，５４ｃと、この一対の押出し部５４ｃ，５４ｃの外側に一体に設けられた一対のバネ受けピン５４ｄ，５４ｄとを具えている。部材本体５４ｂは、膨出部２２ｃの内面に沿って横方向へ移動可能とされていると共に、操作部５４ａがツマミ穴５３を貫通して表側に露出されている。
【００５３】
図１８及び図１９に示すように、ＭＳ用イジェクト部材５４の一対の押出し部５４ｃ，５４ｃは、ホルダカバー８１ｂに設けられたスリットから接続端子ホルダ８１の内部に挿入されている。また、一対のバネ受けピン５４ｄ，５４ｄには、それぞれ圧縮コイルばね８３の一端が係合されている。これら圧縮コイルばね８３の他端は、図６に示すように、膨出部２２ｃの内面に立設されたバネ受け片２２ｄに着座されている。
【００５４】
この圧縮コイルばね８３のバネ力によりＭＳ用イジェクト部材５４は、図１８に示すように、記録媒体挿入口４０から離れる方向へ常時付勢されている。この圧縮コイルばね８３のバネ力に抗してＭＳ用イジェクト部材５４を記録媒体挿入口４０側へスライド動作させることにより、図１９に示すように、記録媒体挿入口４０からメモリスティック１１の基部が露出される。
【００５５】
このような構成を有するカメラ一体型ＶＴＲ２０に対してメモリスティック１１は、次のようにして挿入及び取出し動作が行われる。まず、メモリスティック１１を記録媒体収納部５１に装着する場合について説明する。この場合は、図９及び図１０に示すように、メモリスティック１１を正常な状態で記録媒体挿入口４０に挿入する。
【００５６】
即ち、メモリスティック１１は、図７及び図１４Ａに示すように、その端子接続部１５側を内側にして切欠き部１３のある先端部を記録媒体挿入口４０に臨ませる。そして、その先端部からメモリスティック１１を、記録媒体挿入口４０に差し込む。このとき、記録媒体挿入口４０の内側には開閉扉６２が配置されているため、メモリスティック１１の先端部は、まず、開閉扉６２に当接する。この開閉扉６２は、捩りコイルばね６５のバネ力によって記録媒体挿入口４０を閉じるように付勢されているため、この捩りコイルばね６５のバネ力に抗してメモリスティック１１を差し込み、開閉扉６２を後方へ回動させる。
【００５７】
メモリスティック１１をある程度挿入すると、その先端部は、誤挿入防止機構７０のバネ部材７１のストッパ部７３に接触する。このとき、メモリスティック１１は正常な状態で挿入されているため、図９に示すように、メモリスティック１１の移動軌跡上を横断するように設定されているストッパ部７３には切欠き部１３の円弧面が接触する。このストッパ部７３は、これが設けられたバネ部材７１自体が持つ弾性によってメモリスティック１１の幅方向、即ち、上方への移動が可能である。そのため、メモリスティック１１を更に押し込むことにより、切欠き部１３の円弧面にガイドされてストッパ部７３が外側へ移動する。そして、ストッパ部７３が案内溝７７に沿って切欠き部１３を通過してメモリスティック１１の側面に達すると、後は側面部を摺動するだけであるため、更にメモリスティック１１を奥まで差し込むことができる。
【００５８】
これに対して、メモリスティック１１が異常な状態で記録媒体挿入口４０に挿入されると、誤挿入防止機構７０の働きにより挿入動作の途中からメモリスティック１１の挿入が不可能になる。ここで、メモリスティック１１が異常な状態で挿入されるとは、次の３つの場合を言うことができる。その１は、図１２に示すように、メモリスティック１１の表裏を逆にして切欠き部１３のある先端側から挿入する場合である。その２は、図１３において二点鎖線で示すように、メモリスティック１１の前後を逆にして切欠き部１３のない後端側から挿入する場合である。その３は、図１３において実線で示すように、メモリスティック１１の表裏及び前後を逆にして切欠き部１３のない後端側から挿入する場合である。
【００５９】
これら３つの態様の場合には、いずれの場合においても、誤挿入防止機構７０のストッパ部７３にはメモリスティック１１の切欠き部１３以外の角部が当接される。この切欠き部１３以外の角部は、略９０度に突き出した凸部とされており、メモリスティック１１の挿入方向に対して直交する方向に展開された平面がストッパ部７３に係合される。そのため、ストッパ部７３に対してメモリスティック１１の挿入力はその挿入方向にのみ作用し、その挿入方向と直交する方向に向かう分力を生ずることがない。
【００６０】
その結果、ストッパ部７３が上方へ移動せずにメモリスティック１１の移動軌跡上に維持されるため、それ以上のメモリスティック１１の挿入動作が阻止される。しかも、図１１に示すように、メモリスティック１１の挿入によってストッパ部７３に加えられる力は、支持部材７２の支持部７２ｂを構成する一対の支持片７６ａ，７６ｂにおいて互いに重なり合うように設けられた案内溝７７の縁によって両端支持される。そのため、メモリスティック１１から加えられる力をストッパ部７３によって確実に受け止めることができる。従って、メモリスティック１１の過大な挿入力によるバネ部材７１や支持部材７２の変形を防ぎ、その破損を防止することができる。
【００６１】
次に、メモリスティック１１の切欠き部１３が誤挿入防止機構７０の誤挿入検出部を通過した後、図１７Ａに示すように、所定位置まで挿入されると、切欠き部１３に設けた凹部１３ａが記録媒体収納機構５０の接続端子ホルダ８１に設けた凸部８１ｄに係合される。そして、図１７Ｂに示すように、凸部８１ｄに凹部１３ａが確実に係合されるまでメモリスティック１１を挿入することにより、メモリスティック１１の挿入動作が完了する。このとき、メモリスティック１１の端子接続部１５が接続端子ホルダ８１の端子部８１ｃに接続され、電気的接続が同時に完了する。これにより、メモリスティック１１に対して情報信号の記録が可能となる。
【００６２】
次に、記録媒体収納部５１からメモリスティック１１を取り出す場合について説明する。図１８は、メモリスティック１１が記録媒体収納部５１に装着されている状態を示すものである。この場合、メモリスティック１１の先端部は接続端子ホルダ８１に嵌合されていて、ＭＳ用イジェクト部材５４は一対の圧縮コイルばね８３，８３のバネ力によって後退した状態にある。
【００６３】
この状態から、手動操作でＭＳ用イジェクト部材５４をスライド動作させることにより、メモリスティック１１を簡単に取り出すことができる。即ち、機器蓋体２２の膨出部２２ｃに露出されているＭＳ用イジェクト部材５４の操作部５４ａを記録媒体挿入口４０側にスライドさせる。このとき、図１９に示すように、圧縮コイルばね８３のバネ力に抗してＭＳ用イジェクト部材５４をスライドさせると、一対の押出し部５４ｃ，５４ｃがメモリスティック１１の先端部に当接する。そして、ＭＳ用イジェクト部材５４を移動させる力によってメモリスティック１１が押し出され、その後端部が記録媒体挿入口４０から所定量だけ突出される。この突出部を摘んで引き出すことにより、メモリスティック１１を取り出すことができる。
【００６４】
このとき、メモリスティック１１の内面には開閉扉６２の一面が摺動接触されるが、その一面には断面円弧状のガイド突条６２ａが設けられていて、このガイド突条６２ａがメモリスティック１１の内面に接触する。そのため、メモリスティック１１を取り出す際に、開閉扉６２の縁がメモリスティック１１の内面に係合される等の不具合の発生を防止して、メモリスティック１１の取出動作を確実に行うことができる。また、誤挿入防止機構５０のバネ部材７１のストッパ部７３はメモリスティック１１の側面を摺動するため、このバネ部材７１がメモリスティック１１の取出し動作の妨げとなることがない。
【００６５】
図１５は、記録媒体挿入口４０を開閉する開閉扉の第２の実施例を示すものである。この開閉扉８５は、ガイド突条８５ａを三角山形に形成したものである。ガイド突条８５ａは、開閉扉８５の中央部を一面側へ膨出させることによって形成されており、その頂上部分には適宜な大きさのアール部を設けるようにする。他の構成は上述した実施例の開閉扉６２と同様である。このように構成することによっても上述した実施例と同様の効果を得ることができる。
【００６６】
以上説明したが、本発明は上記実施の例に限定されるものではなく、上記実施例においては、メモリスティックと呼ばれているＩＣ記録メディアを情報記録媒体として用いて、そのメモリスティック１１の誤挿入を防止する誤挿入防止機構７０に適用した例について説明したが、例えば、フロッピィディスク（ＦＤ）のようにメモリスティック１１と同様に使用可能な切欠き部を設けて方向性を持たせた情報記録媒体を用いて、その誤挿入を防止するための誤挿入防止機構に適用することができる。このように、本発明は、その趣旨を逸脱しない範囲で種々変更できるものである。
【００６７】
以上説明したように、本発明の電子機器によれば、記録媒体挿入口の内側に誤挿入防止機構を設ける構成としたため、情報記録媒体が正しい状態で挿入されたときには、誤挿入を防止するための切欠き部によって情報記録媒体の通過が許容して情報記録媒体を所定位置まで挿入し、情報記録媒体が誤った状態で挿入されたときには、切欠き部以外の角部によって情報記録媒体の通過を阻止して情報記録媒体の誤挿入を防止することができる。しかも、使用者が挿入方向や表裏面を誤って情報記録媒体を記録媒体挿入口へ挿入しようとしたとき、記録媒体挿入口に近い位置に誤挿入防止機構が設けられているため、その挿入操作が誤挿入であることを比較的早い段階で使用者に認識させることができる。更に、正しい状態で挿入した場合と比較して情報記録媒体の挿入量の差が大きいために、情報記録媒体の挿入操作が誤っていることを使用者により確実に認知させることができるという効果が得られる。
【００６８】
本発明の電子機器によれば、ストッパ部を有するバネ部材と支持部材とで誤挿入防止機構を構成したため、支持部材で支持されたバネ部材のストッパ部が情報記録媒体の挿入方向の前方に突出することにより、情報記録媒体が正しい状態で挿入されたときにのみ切欠き部にガイドされてストッパ部が外側に移動して情報記録媒体の挿入動作を許容し、情報記録媒体が誤った状態で挿入されたときにはストッパ部が切欠き部以外の角部に当接して情報記録媒体の挿入動作を阻止することができる。そのため、使用者が挿入方向や表裏面を誤って情報記録媒体を記録媒体挿入口へ挿入しようとしたとき、記録媒体挿入口に近い位置で誤挿入を認識して、誤挿入であることを比較的早い段階で使用者に確実に認識させることができるという効果を得ることができる。
【００６９】
本発明の電子機器によれば、支持部材を固定部と支持部とで構成し、その支持部に案内溝を設ける構成としたため、情報記録媒体が正しい状態で挿入されたときには、切欠き部によってストッパ部が案内溝に沿って外側に移動して情報記録媒体の挿入動作を許容し、情報記録媒体が誤った状態で挿入されたときには、切欠き部以外の角部によってストッパ部が案内溝内において係合されて情報記録媒体の挿入動作を阻止し、情報記録媒体の誤挿入を確実に防止することができるという効果を得ることができる。
【００７０】
本発明の電子機器によれば、支持部である一対の支持片に案内溝を設け、この案内溝でストッパ部の両端を支持する構成としたため、情報記録媒体が誤った状態で挿入されて切欠き部以外の角部がストッパ部に当接したときには、そのストッパ部の両端が一対の支持片によって両端支持されることから、使用者による過度の挿入力に耐えることができ、無理な挿入力が加えられることによる情報記録媒体や装置本体の破損を防ぐことができるという効果を得ることができる。
【図面の簡単な説明】
【図１】本発明に係る電子機器の一実施例を示すもので、電子機器として適用されたカメラ一体型ＶＴＲを背面側から見た状態の斜視図である。
【図２】本発明の電子機器に係る機器蓋体の後面として現れた正面図である。
【図３】本発明の電子機器に係る機器蓋体の背面図である。
【図４】本発明の電子機器に係る機器蓋体の側面として現れた右側面図である。
【図５】本発明の電子機器に係る機器蓋体の左側面図である。
【図６】本発明の電子機器に係る機器蓋体の一部を断面して示す平面図である。
【図７】本発明の電子機器に係る機器蓋体の図５に示すＡ−Ａ線部分の断面図である。
【図８】本発明の電子機器に係る誤挿入防止機構を示す斜視図である。
【図９】本発明の電子機器に係る誤挿入防止機構の動作を示すもので、情報記録媒体を正しい状態で挿入したときの側面図である。
【図１０】本発明の電子機器に係る誤挿入防止機構の動作を示すもので、情報記録媒体を正しい状態で挿入したときの平面図である。
【図１１】本発明の電子機器に係る誤挿入防止機構の動作を示すもので、情報記録媒体を正しい状態で挿入したときの要部を拡大して示す正面図である。
【図１２】本発明の電子機器に係る誤挿入防止機構の動作を示すもので、情報記録媒体を誤った状態で挿入したときの第１の例の側面図である。
【図１３】本発明の電子機器に係る誤挿入防止機構の動作を示すもので、情報記録媒体を誤った状態で挿入したときの第２の例の側面図である。
【図１４】本発明の電子機器に係る記録媒体挿入口を開閉する開閉扉の第１の例を示すもので、同図Ａは通常の状態、同図Ｂは記録媒体挿入口が潰れた状態を示す断面図である。
【図１５】本発明の電子機器に係る記録媒体挿入口を開閉する開閉扉の第２の例を示す断面図である。
【図１６】本発明の電子機器に係るＭＳ用イジェクト部材を示すもので、同図Ａは記録媒体収納部に収納された状態の断面図、同図Ｂは正面図である。
【図１７】本発明の電子機器に係る記録媒体収納部を断面して示すもので、同図Ａは情報記録媒体を途中まで挿入した状態、同図Ｂは情報記録媒体を完全に挿入した状態を示す断面図である。
【図１８】本発明の電子機器に係る記録媒体収納部を示すもので、情報記録媒体を押し出す前の状態を示す説明図である。
【図１９】本発明の電子機器に係る記録媒体収納部を示すもので、情報記録媒体を押し出した後の状態を示す説明図である。
【図２０】本発明の電子機器に使用される情報記録媒体の一実施例を示すもので、同図Ａは裏面側から見た斜視図、同図Ｂは表面側から見た平面図である。
【図２１】従来の電子機器に係る誤挿入防止機構を示すもので、同図Ａは正しい挿入状態の側面図、同図Ｂは同じく平面図、同図Ｃは誤挿入状態の側面図である。
【符号の説明】
１１  メモリステッィク（情報記録媒体）、  １３  切欠き部、  １３ａ  凹部、  １５  端子接続部、  ２０  カメラ一体型ＶＴＲ（電子機器）、  ２１  機器本体、  ２２  機器蓋体、  ２２ｃ  膨出部、  ４０  記録媒体挿入口、  ５０  記録媒体収納機構、  ５１  記録媒体収納部、  ５４  メモリスティック用イジェクト部材、  ５４ａ  ツマミ、  ５４ｃ  押出し部、  ６２，８５  開閉扉、  ７０  誤挿入防止機構、  ７１  バネ部材、  ７２  支持部材、  ７２ｂ  支持部、  ７３  ストッパ部、  ７６ａ，７６ｂ  支持片、  ７７  案内溝、  ８３  圧縮コイルばね
【図１】
0004144111.tif 000002
【図２】
0004144111.tif 000003
【図３】
0004144111.tif 000004
【図４】
0004144111.tif 000005
【図５】
0004144111.tif 000006
【図６】
0004144111.tif 000007
【図７】
0004144111.tif 000008
【図８】
0004144111.tif 000009
【図９】
0004144111.tif 000010
【図１０】
0004144111.tif 000011
【図１１】
0004144111.tif 000012
【図１２】
0004144111.tif 000013
【図１３】
0004144111.tif 000014
【図１４】
0004144111.tif 000015
【図１５】
0004144111.tif 000016
【図１６】
0004144111.tif 000017
【図１７】
0004144111.tif 000018
【図１８】
0004144111.tif 000019
【図１９】
0004144111.tif 000020
【図２０】
0004144111.tif 000021
【図２１】
0004144111.tif 000022